(57)【特許請求の範囲】
【請求項１】
断路器を三相並設したモールド型分岐開閉装置において、１つの断路器の幅に、同相の断路器を２つ縦列して一体に設け、これらの各断路器の上方に双方の断路器の一端に接続した電線接続端子一極を設け、これらの断路器の下方に、各断路器の他端に接続した電線接続端子二極を夫々設け、これらの断路器の下方に設けた二極の電線接続端子は、一方が他方に対して前後に段差をつけて並列して設け、当該後側の電線接続端子を前側の電線接続端子より下方に位置して設けたことを特徴とする、モールド型分岐開閉装置。
【請求項２】
断路器を三相並設したモールド型分岐開閉装置において、１つの断路器の幅に、同相の断路器を２つ縦列して一体に設け、これらの各断路器の上方に双方の断路器の一端に接続した電線接続端子一極を設け、これらの断路器の下方に、各断路器の他端に接続した上記電線接続端子と同一形状の電線接続端子二極を夫々設け、これらの断路器の下方に設けた二極の電線接続端子は、一方が他方に対して前後に段差をつけて並列して設け、当該後側の電線接続端子を前側の電線接続端子より下方に位置して設けたことを特徴とする、モールド型分岐開閉装置。
【発明の詳細な説明】
【０００１】
【発明の属する技術分野】
この発明は、高圧キャビネット等の配電用供給箱の内部に設置される高圧地中配電線の多分岐開閉のために使用するモールド型分岐開閉装置に関するものである。
【０００２】
【従来の技術】
従来から、図１１及び図１２に示す、高圧地中配電線の多分岐開閉のために多数のモールド型断路器３１が設置された配電用供給箱３２が使用されている。この配電用供給箱３２の内部には、当該単極型のモールド型断路器３１が横並びに設けられ、三相各相毎にこれらの各モールド型断路器３１の上部の電線接続端子３４にモールド母線３５を接続して多回路を構成し、各回路のモールド型断路器３１の下部の電線接続端子３６に、地中から立ち上げた地中ケーブル３７を接続している。
【０００３】
そしてこの様な配電用供給箱３２の多くは、歩道の脇に設置されるものであるが、設置される歩道の一部を占有することもあり、歩行者の通行の妨げとなっている。またある程度の厚さ及び大きさを有する金属性の箱体であって、歩行者にとっては威圧的である。そのため、できるだけ小さく、コンパクトにまとまった、通行人の妨げとならない配電用供給箱３２の採用が求められている。
【０００４】
【発明が解決しようとする課題】
一方、当該配電用供給箱内に設置される従来のモールド型分岐開閉装置は、単回路の断路器を多回路数横並びにして専用ゴムモールド母線３５で連結しているため、要求される回路数分の単回路断路器の横幅を必要とするのは避けられず、従来のモールド型分岐開閉装置を設置した配電用供給箱では、当該配電用供給箱の大きさを小さくするといっても限界があった。
【０００５】
そこでこの発明は、モールド型分岐開閉装置の設け方を変え、単回路の断路器の相間ピッチ幅に二回路の断路器を設置し、従来型の半分の空間で設置できるモールド型分岐開閉装置を提供して上記課題を解決するものである。
【０００６】
【課題を解決するための手段】
請求項１項の発明は、モールド型分岐開閉装置の相間ピッチを単回路断路器の幅として、各幅に断路器を２つ縦列して一体に設け、これらの各断路器の上方に双方の断路器に接続した電線接続端子一極を設け、これらの断路器の下方に各断路器に接続した電線接続端子二極を前後に段差をつけて並列して設け、当該後側の電線接続端子を前側の電線接続端子より下方に位置して設けたモールド型分岐開閉装置とした。
【０００７】
請求項２項の発明は、モールド型分岐開閉装置の相間ピッチを単回路断路器の幅として、各幅に断路器を２つ縦列して一体に設け、これらの各断路器の上方に双方の断路器に接続した電線接続端子一極を設け、これらの断路器の下方に各断路器に接続した上記電線接続端子と同一形状の電線接続端子二極を前後に段差をつけて並設して設け、当該後側の電線接続端子を前側の電線接続端子より下方に位置して設けたモールド型分岐開閉装置とした。
【０００８】
【実施の形態】
この発明の実施の形態例のモールド型分岐開閉装置１を図１乃至図４に基づいて説明する。このモールド型分岐開閉装置１は、相対向して設けた二つの固定電極に可動電極を内蔵した閉路蓋を被冠して閉路するモールド型断路器２を三相並設したもので、相間ピッチの幅を既存の単回路の断路器の幅とし、各幅に２つのモールド型断路器２ａ、２ｂを縦列して一体に設けて二回路としている。そしてこれらの各モールド型断路器２ａ、２ｂの上方には、これら２つのモールド型断路器２ａ、２ｂの夫々に接続された電線接続端子３を一極設けており、当該電線接続端子３にはモールド母線６（図７参照）が接続されている。
【０００９】
またモールド型断路器２ａ、２ｂの下方には、地中から立ち上がってきた地中ケーブル（図示省略）を当該モールド型断路器２ａ、２ｂに夫々接続した電線接続端子４、５の二極を前後に並列して設けており、下部のモールド型断路器２ｂに接続した電線接続端子４が前側に位置しており、上部のモールド型断路器２ａに接続した電線接続端子５を後側に位置している。さらにこの後側の電線接続端子５は、後に検電又は検相する際に支障を来さない程度に、前側の電線接続端子４より下方に位置させている。これらのモールド型断路器２ａ、２ｂの単線結線図は図３の通りになっている。
【００１０】
電線接続端子３は、図４に示す形状及び構造である。この電線接続端子３は、エポキシ樹脂の筒状の本体ａを突設し、この中空部内の奥部に銅製のインサート導体ｂを設け、当該中空部内において、インサート導体ｂの上部には多数の銅製の接触片ｃを筒状に設け、この接触片ｃの上方にはステンレスから成る輪状の接触片ストッパーｄを設け、この接触片ストッパーｄの上方にはナイロン６６から成る円筒状の端子固定管ｅを螺着して配置している。端子固定管ｅは、略中間部に設けた段部を介して大径と成った上部が本体ａから露出している。この様な電線接続端子３の外側には、ＥＰ（エチレン・プロピレン）ゴムから成る端子カバーｆを被せている。
電線接続端子４、５は、この電線接続端子３と同様の形状である。
【００１１】
このモールド型分岐開閉装置１を使用した状態を図５乃至図８に示す。図５及び図６に示すのは、このモールド型分岐開閉装置１をラック７に取り付けた状態である。図７は、配電用供給箱８内に借室用のモールド型分岐開閉装置１を設置した状態を示す。この状態で従来の三相型のモールド型断路器３１（図１１参照）であれば１回路しか設置できない空間で、この発明のものであれば２回路のモールド型分岐開閉装置１が設置できている。このモールド型分岐開閉装置１の各モールド型断路器２の上方から２回路のモールド母線６が延びて、当該モールド型分岐開閉装置１の右側に設置されている過電流ロック型の地中線用ガス開閉器１０に接続されている。
【００１２】
また図８に示したものは、図７に示したものより大型の配電用供給箱９に設置した場合であって、この配電用供給箱９では、図７のものと同様に借室用のモールド型分岐開閉装置１であるが、従来型のモールド型断路器３１及びモールド型分岐開閉装置３３であれば３回路分が設置できる容量である。ここで右側には、従来の単極型のモールド型断路器３１を１回路設置しており、中央には従来の三相型のモールド型分岐開閉装置３３を設置し、左側には、この発明の２回路のモールド型分岐開閉装置１を設置している。これら断路器及び分岐開閉装置の横幅は何れも同じものであり、従来のものであれば、３回路しか設置できないところ、この発明のモールド型分岐開閉装置１であれば４回路設置できる。
なおモールド型分岐開閉装置１の上部の電線接続端子３に接続されているのは、モールド母線６であり、このモールド母線６の他端は、夫々従来型のモールド型分岐開閉装置３３とモールド型断路器３１とに接続されている。
【００１３】
また図９に示すのは、各２回路のモールド型分岐開閉装置１をモールド母線６で接続した場合のものであり、図１０に示すのは、２回路のモールド型分岐開閉装置１と、従来型のモールド型断路器３１とをモールド母線６で接続した場合のものである。
【００１４】
そして、このモールド型分岐開閉装置１を使用すると、専用のモールド母線６で並列連接多分岐する場合は、次のメリットがある。
▲１▼従来の単回路複数横並び方式の横幅の半分で同一回路数を確保できる。
▲２▼モールド型分岐開閉装置１を背中合せにしての使用も可能であり、この場合は前後又は左右の作業空間が必要となるが、横幅については、従来のモールド型断路器３１の１／４の空間で同一回路数を確保でき、配電用供給箱内に非常にコンパクトに収まる。またモールド型断路器２ａ、２ｂの下方に各モールド型断路器２ａ、２ｂに接続された電線接続端子４、５を前後に並列して設け、当該後側の電線接続端子５を前側の電線接続端子４より下げたことにより、後側ケーブル端末の検電・険相作業が前側ケーブルの間からできるので、従来の単回路の断路器の横幅で側面、背面に作業スペースを設けることなく正面から二回路分の保守作業が可能となり横幅占有必要寸法の縮小化が図れる。
【００１５】
またケーブル配線の途中にこのモールド型分岐開閉装置１を単体又は直列に接続して使用する場合は、ケーブルの配管、ダクト、ラック等から横向きに突出する寸法を低減できるので次のような用途に適してる。
▲１▼ビル内高圧配線の分岐開閉装置（縦列設置及び横列設置して直列連係することも可能である。）。
▲２▼地中埋設設置の高圧分岐開閉装置（表層埋設ハンドホール、電線共同溝の特殊部等に設置）。
▲３▼路上設置変圧器の高圧分岐開閉装置。
▲４▼柱上設置変圧器の高圧分岐開閉装置（電柱表面取付、又は鋼管内埋設設置）。
▲５▼変圧器室の高圧母線へ分岐する分岐開閉装置。
【００１６】
上記実施の形態例では、上部のモールド型断路器２ａの下方の電線接続端子５を後側に、下部のモールド型断路器２ｂの下方の電線接続端子４を前側に配置しているが、これに限るものではなく、上下のモールド型断路器２ａ、２ｂの電線接続端子は、前側後側のどちらでもよく、後側の電線接続端子を前側の電線接続端子より下方の位置に設けたものであればよい。また電線接続端子３、４、５としてその構造を記載しているが、これらの構造は、この発明の必須要件ではない。
【００１７】
【発明の効果】
請求項１項の発明のモールド型分岐開閉装置によれば、分岐開閉装置の相間ピッチを単回路断路器の幅として断路器を２つ縦列して一体に設けているので、従来のモールド型分岐開閉装置の横幅の半分で同一回路数を設置できる。また各断路器の上方に双方の断路器に接続した電線接続端子一極を設け、これらの断路器の下方に各断路器に接続された電線接続端子二極を前後に並列して設け、当該後側の電線接続端子を前側の電線接続端子より下方に位置して設けているので、後側ケーブル端末の検電・険相作業が前側ケーブルの間からでき、従来の単回路の断路器の横幅で側面、背面に作業スペースを設けることなく、正面から二回路分の保守作業が可能となり横幅占有必要寸法の縮小化が図れる。
この様な結果、このモールド型分岐開閉装置を設置した配電用供給箱の縮小化が図れ、配電用供給箱に限らず他のモールド型分岐開閉装置を設置する開閉装置においても縮小化が図れ、用途の広いものである。
【００１８】
また請求項２項の発明は、上記請求項１項の発明の効果に加え、上下の電線接続端子を同一形状とすることにより、この発明のモールド型分岐開閉装置を単体及び組み合わせての用途が広がり、汎用性の高いものである。
【図面の簡単な説明】
【図１】この発明の実施の形態例のモールド型分岐開閉装置の正面図である。
【図２】この発明の実施の形態例のモールド型分岐開閉装置の側面図である。
【図３】この発明の実施の形態例のモールド型分岐開閉装置の単線結線図である。
【図４】この発明の実施の形態例におけるモールド型分岐開閉装置の電線接続端子の縦断面図である。
【図５】この発明の実施の形態例のモールド型分岐開閉装置をラックに取り付けた状態の正面図である。
【図６】この発明の実施の形態例のモールド型分岐開閉装置をラックに取り付けた状態の側面図である。
【図７】この発明の実施の形態例のモールド型分岐開閉装置を配電用供給箱内に設置した状態の正面図である。
【図８】この発明の実施の形態例のモールド型分岐開閉装置を他の配電用供給箱内に設置した状態の正面図である。
【図９】この発明の実施の形態例のモールド型分岐開閉装置の接続例を示す説明図である。
【図１０】この発明の実施の形態例のモールド型分岐開閉装置の他の接続例を示す説明図である。
【図１１】従来のモールド型分岐開閉装置を配電用供給箱内に設置した状態の正面図である。
【図１２】従来のモールド型分岐開閉装置を配電用供給箱内に設置した状態の側面図である。
【符号の説明】
１    モールド型分岐開閉装置          ２ａ  （上部の）モールド型断路器
２ｂ  （下部の）モールド型断路器      ３    電線接続端子
４    電線接続端子                    ５    電線接続端子
【図１】
0004545887.tif 000002
【図２】
0004545887.tif 000003
【図３】
0004545887.tif 000004
【図４】
0004545887.tif 000005
【図５】
0004545887.tif 000006
【図６】
0004545887.tif 000007
【図７】
0004545887.tif 000008
【図８】
0004545887.tif 000009
【図９】
0004545887.tif 000010
【図１０】
0004545887.tif 000011
【図１１】
0004545887.tif 000012
【図１２】
0004545887.tif 000013